(57)【特許請求の範囲】
【請求項１】
垂直片と水平片とでＬ字形状に形成した帯状部の前記垂直片の側縁に箱部を設けた建物ユニット用補強材であって、
前記箱部は、前記垂直片の側縁から延設した袖片と、
この袖片の下端から前記水平片側に水平に延設した受け片と、
この受け片から上記袖片と対向して立設した側片と、
この側片の前記垂直片側の側縁から外向きに延設した当たり片と、
を備えていることを特徴とする建物ユニット用補強材。
【請求項２】
請求項１記載の建物ユニット用補強材によって壁パネルと床パネルとが接合されてなる建物ユニット。
【発明の詳細な説明】
【０００１】
【発明の属する技術分野】
本発明は、壁式工法の建物ユニットの壁パネルと床パネルとの接合部の補強材に関する。
【０００２】
【従来の技術】
建物の工業生産化率を高める一方式として、ユニット建物が普及している。このユニット建物は、一棟の建物を予めいくつかの建物ユニットに分けて工場生産し、施工に際しては、これらをクレーンにより吊り上げて組み立てていく方式である。
【０００３】
ところで、壁式工法の建物ユニットには、例えば特公昭５９−５０８３５号公報に記載されているように、建物ユニットの下端部の四隅に建物ユニット用補強材が取り付けられているものがある。この建物ユニット用補強材は、一枚の金属の板材をＬ字形に折り曲げて形成されており、一端を床パネルの下面に固定するとともに、他端を壁パネルの側面に固定することにより床パネルと壁パネルとの結合強度を補強することができるようになっている。
【０００４】
また、図４に示すように、建物ユニットの床パネル１は端根太１２ａの下面に頭つなぎ１４が固着され、床根太１１や側根太１１ｂの端部が頭つなぎ１４に載置され、クギによって端根太１２ａに固着され、その上に床板（表示せず）が固着されることにより構成されている。ここで、側根太１１ｂとは床パネルの側端の床根太である。
【０００５】
しかし、頭つなぎ１４は一定の幅の材料が使用されるが、端根太１２ａは床パネル１の強度を増すために頭つなぎ１４の幅と同じ厚さにすることがある。この場合、図５に示すように床根太１１、側根太１１ｂ（表示せず）を下から受ける部材がなくなり、クギだけで端根太１２に取り付けたのでは床パネル１の強度が不足する。そのため、床根太１１、側根太１１ｂは根太受け金物３１ａによって、端根太１２に取付けている。
【発明が解決しようとする課題】
上記特公昭５９−５０８３５号公報における建物ユニット用補強材の場合、床パネルと壁パネルとの連結強度を補強するだけであり、側根太を取り付けるための根太受け金物は別途設けなければならず、製作費が余計かかるとともに作業手順も煩雑になるという問題があった。
【０００６】
また、建物ユニットの下端部の四隅に建物ユニット用補強材と側根太用の根太受け金物を別々に取付けるため、取り付け位置の誤差が生じることがあり、建物ユニットの寸法精度を確保するためには治具を必用とするという問題があった。
【０００７】
本発明は上述の問題点に鑑みてなされたものであって、製作費が安く、施工性に優れ、かつ、建物ユニットの寸法精度がよい建物ユニット用補強材を提供することを目的としている。
【０００８】
【課題を解決するための手段】
上記目的を達成するため請求項１記載の発明の建物ユニット用補強材は、垂直片と水平片とでＬ字形状に形成した帯状部の前記垂直片の側縁に箱部を設けた建物ユニット用補強材である。ここで、前記箱部は、前記垂直片の側縁から延設した袖片と、この袖片の下端から前記水平片側に水平に延設した受け片と、この受け片から上記袖片と対向して立設した側片と、この側片の前記垂直片側の側縁から外向きに延設した当たり片と、を備えている構成とした。
【０００９】
また、請求項２記載の発明は、請求項１記載の建物ユニット用補強材によって壁パネルと床パネルとが接合されてなる建物ユニットである。
【００１０】
本発明における建物ユニット用補強材は防錆性能に優れた鋼板が使用され、特に亜鉛メッキ鋼板やステンレス鋼板が好適である。
【００１１】
本発明においては、建物ユニット用補強材にクギ打ち用の孔を多数設ける場合がある。そのときは、それらの孔は一直線上に並ばないように配列すると、クギ打ちによる材木の割れを防ぐ上で効果的である。
【００１２】
さらに、前記クギ打ち用の孔のうち、帯状部の垂直片のクギ打ち用の孔のいくつかを長孔とすれば、建物ユニット用補強材の仮止めを行い、取り付け位置の調整をするのに有効である。
【００１３】
また、建物ユニット用補強材には必用に応じて、帯状部の水平片にアンカーボルトや上下方向の建物ユニット間接合用ボルトのための孔や箱部の袖片や側片に水平方向の建物ユニット間接合用ボルトのための孔を設けても構わない。
【００１４】
【作用】
請求項１記載の発明の建物ユニット用補強材においては、帯状部を垂直片と水平片とでＬ字形状に形成してあり、水平片を床パネルの下面に固着するとともに、垂直片を壁パネルの側面に固着することにより床パネルと壁パネルとの結合強度を補強することができる。
【００１５】
また、箱部は、垂直片の側縁から延設した袖片と、この袖片の下端から前記水平片側に水平に延設した受け片と、この受け片から立設した側片と、この側片の前記垂直片側の側縁から外向きに延設した当たり片とを備えているので、側根太を受け片で下から受け、袖片と側片とで側根太に固着することができる。さらに、箱部の当たり片と帯状部の垂直片とを端根太に固着することで側根太を端根太に取り付けることができる。
【００１６】
帯状部の垂直片の側縁に箱部を設け、その垂直片と箱部の袖部は延設されて一体となっているので、それらが取り付けられる壁パネルの側端と側根太の外側面は治具なしで施工しても簡単に所定の角度とすることができる。
【００１７】
請求項２記載の発明の建物ユニットにおいては、請求項１記載の建物ユニット用補強材によって壁パネルと床パネルとを接合するので、壁パネルと床パネルとの結合強度の強い建物ユニットとすることができる。
【００１８】
また、端根太の厚さと頭つなぎの幅が同じであっても、側根太を端根太に取り付けることができるので、構造の簡単な建物ユニットとすることができる。
【００１９】
さらに、壁パネルの側端と側根太の外側面を治具なしで施工しても簡単に所定の角度にすることができるので、建物ユニットの製造工程を簡略化できる。
【００２０】
【発明の実施の形態】
以下、本発明の実施の形態を実施例にもとづき図面を参照して説明する。
図１は本発明の建物ユニット用補強材を使用した建物ユニットを示す斜視図、図２は本発明の建物ユニット用補強材を示す斜視図、図３は本発明の建物ユニット用補強材の使用方法を示す斜視図である。
【００２１】
図１において、床パネル１は、互いに平行に配設させた複数の根太１１及び側根太１１ｂと、その端部を固着した端根太１２と、前記複数の根太１１と側根太１１ｂ及び端根太１２に固着した床板１３と、端根太１２の下面に固着した頭つなぎ１４とで構成している。
【００２２】
壁パネル２ａ、２ｂは、互いに平行に配設した複数の縦枠２１と、これら縦枠２１の上端部を連結した上枠２２と、縦枠２１の下端部を連結した下枠２３と、縦枠２１等に固着した壁面材２４とで構成している。
【００２３】
建物ユニット用補強材３は建物ユニットの下端の４隅に設けている。
【００２４】
図２において、帯状部３１は垂直片３ａと水平片３ｂとでＬ字形状に形成してある。また、垂直片３ａの側縁に箱部３２を設け、その箱部３２は、袖片３ｃと受け片３ｄと側片３ｅと、当たり片３ｆとで構成してある。ここで、垂直片３ａと袖片３ｃとは面一にしてある。
【００２５】
帯状部３１の垂直片３ａには壁パネル２ｂの縦枠２１にクギで固着するために多数の下孔３１ａと建物ユニット用補強材３を仮止めし位置決めするための長孔３１ｂが設けてある。
【００２６】
また水平片３ｂには床パネル１の頭つなぎ１４にクギで固着するために多数の下孔３１ａとアンカーボルト用孔３１ｃと上下の建物ユニットを締結するためのボルト用孔３１ｄが設けてある。
【００２７】
箱部３２の袖片３ｃと側片３ｅにはクギで側根太１１ｂに固着するための多数の下孔３２ａと水平方向の建物ユニットを締結するためのボルト孔３２ｂが設けてある。また当たり片３ｆにはクギで端根太１２に固着するための多数の下孔３２ａが設けてある。
【００２８】
ここで、下孔３１ａ、３２ａはクギ打ちされる材木の割れを防ぐために、一直線に並ばないように配置してある。
【００２９】
図３において、垂直片３ａは壁パネル２ｂの縦枠２１（図示せず）に固着され水平片３ｂは床パネル１の頭つなぎ１４（破線で表示）にクギで固着されることにより帯状部３１で壁パネル２ｂと床パネル１との結合強度が補強される。
【００３０】
帯状部３１の垂直片３ａの側縁の箱部３２には、側根太１１ｂ（破線で表示）を設置し、側根太１１ｂは袖片３ｃと側片３ｅとにクギで固着し、受け片３ｄで下から受ける構造になっている。また側根太１１ｂは当たり片３ｆをクギで端根太１２（破線で表示）に固着することにより端根太１２に取り付けることができる。
【００３１】
このようにして、本発明の建物ユニット用補強材３を建物ユニットの下端に取り付けることにより、その他に以下の効果がある。
まず、垂直片３ａにより側根太１１ｂの外側面、つまり、床パネル１の外側面と壁パネル２ｂの外側面とが治具なしに面一に施工できる。次に、端根太１２の端部と側根太１１ｂの外側面が治具なしに面一に施工できる。また、当たり片３ｆにより帯状部３１の垂直片３ａを壁パネル２ｂの所定の位置に、水平片３ｂを頭つなぎ１４の所定の位置に治具なしで施工できる。
【００３２】
つまり、本発明の建物ユニット用補強材３により、建物ユニット床部に必用な精度を治具なしで実現できる。
【００３３】
以上、本発明の実施例を図面により説明したが、本発明の具体的構成はこの実施例に限られるものではなく、本発明の要旨を逸脱しない範囲の設計の変更等があっても本発明に含まれる。
【００３４】
例えば、床パネル１の頭つなぎ１４の代わりに基礎の上に載置する土台を使用しても構わない。
【００３５】
【発明の効果】
請求項１記載の発明の建物ユニット用補強材においては、床パネルと壁パネルとを連結させて結合強度を補強することができるので、壁パネル上部で建物ユニットをクレーンで吊り下げることができる。
【００３６】
また、側根太を箱部と帯状部の垂直片とで端根太に取り付けることができるので、側根太を受ける部材がなくても床パネルの強度を発現できる。
【００３７】
帯状部の垂直片の側縁に箱部を設けたので、その垂直片と箱部の袖部は延設されて一体となっている。そのため、それらが取り付けられる壁パネルの外側端と側根太の外側面、つまり、床パネルの外側面は治具なしで施工しても簡単に所定の角度とすることができ、建物ユニットに必要な精度を簡単に発現できる。
【００３８】
さらに、帯状部と箱部は一体物として製作するので、べつべつに製作するのに比べて製作費が安い。また、別々に施工するのに比べて取り付け位置が正確であり、かつ、施工が簡単である。
【００３９】
請求項２記載の発明の建物ユニットにおいては、壁パネルと床パネルとの結合強度の強い建物ユニットとすることができるので、クレーンで吊り下げて施工できる。
【００４０】
また、構造の簡単な建物ユニットとすることができるので、材料費を削減でき建物ユニットの材料コストを低減できる。
【００４１】
さらに、建物ユニットの製造工程を簡略化できるので、製造コストを低減できる。
【図面の簡単な説明】
【図１】本発明の建物ユニット用補強材を使用した建物ユニットを示す斜視図である。
【図２】図１の建物ユニット用補強材を示す斜視図である。
【図３】図１の建物ユニット用補強材の使用方法を示す斜視図である。
【図４】従来の床パネルの構成を示す斜視図である。
【図５】従来の床パネルの構成を示す斜視図である。
【符号の説明】
１１ｂ  端根太
１２    側根太
３  建物ユニット用補強材
３１  帯状部
３２  箱部
３ａ  垂直片
３ｂ  水平片
３ｃ  袖部
３ｄ  受け部
３ｅ  側部
３ｆ  当たり部
【図１】
0003704244.tif 000002
【図２】
0003704244.tif 000003
【図３】
0003704244.tif 000004
【図４】
0003704244.tif 000005
【図５】
0003704244.tif 000006